(57)【要約】【課題】蘚苔類植物の生育に好適な培地構造による軽量、断熱性に優れ、施工も容易に出来る蘚苔類植物による苔緑化ユニットを提供する。【解決手段】蘚苔類植物１の生育を考慮した透水性の層２、保水性の層３を支持体４内に構成した苔緑化ユニットをビルの屋上や工場の屋根に設置するものである。蘚苔類植物１は生育環境を考慮した場合、保水、透水のバランスが重要であり苔に接する部分は透水性の層２となる部分に瓦を粉砕したものと珪藻土の焼成顆粒にしたセラミックを使用し、その下に保水性の層３を設けることにより蘚苔類植物１にとって好適な保水、透水の環境をつくることができる。また支持体４へは排水機能及び偏り、ずれ防止機能、接着構造を持たせることにより運搬効率の向上と施工の効率化ができる。これらの使用する材質は、土壌に比べ軽量なため屋上に設置した場合でも建物に対する負担が少なく断熱効果もあるため、建物内の省エネも期待できる。【選択図】図１
2014100128.tif 000002
【特許請求の範囲】
【請求項１】
蘚苔類植物を生育させる為の透水性の層と、該透水性の層の下に形成された保水性の層とを、排水性を持った支持体に収納したことを特徴とする苔緑化ユニット。
【請求項２】
前記透水性の層は瓦を細かく粉砕したものと珪藻土を焼成顆粒にしたセラミックを混合した基盤材とすることを特徴とする請求項１に記載の苔緑化ユニット。
【請求項３】
前記保水性の層は軽量で排水性を有した繊維質の保水材とすることを特徴とする請求項１または２に記載の苔緑化ユニット。
【請求項４】
前記透水性の層や前記保水性の層は固着剤（例えば合成樹脂エマルジョン）により固定化することを特徴とする請求項１乃至３のいずれか一項に記載の苔緑化ユニット。
【請求項５】
前記支持体は、前記透水性の層または前記保水性の層の偏りを防止するための隔壁を備えている支持体とすることを特徴とする請求項１乃至４のいずれか一項に記載の苔緑化ユニット。
【請求項６】
蘚苔類植物、前記透水性の層、前記保水性の層の排水性を考慮し排水口を備えている支持体とすることを特徴とする請求項１乃至５のいずれか一項に記載の苔緑化ユニット。
【請求項７】
前期支持体の底部には底上げ構造を備えている支持体とすることを特徴とする請求項１乃至６のいずれか一項に記載の苔緑化ユニット。
【請求項８】
前記支持体は複数重ねた場合のずれ防止とする嵌合構造を備えていることを特徴とする請求項１乃至７のいずれか一項に記載の苔緑化ユニット。
【発明の詳細な説明】
【技術分野】
【０００１】  この発明は、蘚苔類植物を用い建築物の屋上や工場等の屋根あるいは、道路の中央分離帯や法面等を緑化するためのユニットに関するものである。
【背景技術】
【０００２】  近年、大都市におけるヒートアイランド現象や節電対策が問題視されてきている。この対策として工場等においては工場立地法及び緑化協定等により緑化が義務付けられており、東京都においては、建物の占める面積に対して一定の割合で緑化を義務付ける条例が施行されている区もある。【０００３】  ビルや工場の屋上を緑化が工場立地法及び緑化協定等により認められている。建物の屋上や屋根部分を緑化する場合に樹木や芝等の土壌を必要とする植物を用いる場合、重量が大きな問題となる。樹木や芝等の土壌の重量を建物が支えられない場合には、それらを用いて緑化することは困難である。また、樹木や芝等は屋上や屋根で生育させる為には施肥、潅水、手入れ、刈取が必要となり管理コストや潅水の為の電力等も必要となる。【０００４】  これらの解決策として、土壌を必要としない蘚苔類植物による緑化方法が近年提案されてきている。蘚苔類植物は、樹木や芝等とは異なり根から水分や養分を吸収せず大気中から水分や養分を吸収することから土壌を必要としない。このため非常に軽い状態で屋上や屋根を緑化することが可能となる。
また、蘚苔類植物は保水性が高く自重の２０倍の保水ができる事からその蒸散作用により大気中の温度を下げヒートアイランド現象の軽減を図ることができる。【０００５】  蘚苔類植物は苛酷な環境でも枯死することはなく、屋上や屋根の緑化には適している。特に乾燥状態に強く雨が降らない状態が続いても休眠状態をとなり枯死することなく、降雨によりまた再生することから潅水設備を必要としない。このことは樹木や芝等に比べ維持する為の電力を削減することができる。また、光合成の効率も樹木や芝と大差がなく落葉や枯れがないことから、ＣＯ２（二酸化炭素）の固定化が高いレベルで実現できるものである。【０００６】  以上の蘚苔類植物の特性を活かし、緑化に用いる発明が提案されてきている。その形態はシート状やマット状のものを屋上に貼り付けるもの（例えば特許文献１参照）、あるいは蘚苔類の種を塗物に混ぜて吹き付けるようなもの（例えば特許文献２参照）も提案されている。
【先行技術文献】
【特許文献】
【０００７】
【特許文献１】特開２００６−１２２００７号公報
【特許文献２】特開２０１１−０９２１１４号公報
【発明の概要】
【発明が解決しようとする課題】
【０００８】  しかしながら、以上の技術によれば、蘚苔類植物を薄いシートで形成する。あるいは直接屋根部分にコーティングしているため屋上等の緑化する部分に容易に施工することができるが、蘚苔類の生育にとって良好な培地とはなっていなかった。それは、苔の生育の特徴として排水性と保水性のバランスが重要であり従来の技術では、降雨時に水が溜まってしまった場合に蘚苔類が痛んで最悪の場合枯渇する可能性もある。また、薄いシート状、またはコーティングのため、保水性に乏しく屋上床面の熱が直接植物に伝わり、蘚苔類の生育に悪影響を及ぼす可能性もある。【０００９】  蘚苔類植物を固定粘着シートで形成しているため種を蒔いた状態から圃場で生育させる場合、上記で示したことから圃場の整形を水が溜まらないようにしなくてはならない。
また、シートの形状で栽培を行った場合、生育の斑が発生した場合に破棄する部分が多くなり歩留まりが悪くなってしまう。更に出荷時にシートをカットする等の作業も発生してしまう。【００１０】  本発明は、以上のような従来の欠点に鑑み、蘚苔類植物の生育が良好で、歩留まりが少なく、軽量、断熱性に優れ、施工も容易に出来る苔緑化ユニットを提供することを目的とする。
【課題を解決するための手段】
【００１１】  以上の課題を解決するために、本発明は次のような構成としている。すなわち、蘚苔類植物の下に透水性の層を形成し更にその下に保水性の層をおくことにより蘚苔類植物の良好な生育環境をつくり更に排水性を持った支持体に収納したことを特徴とする。【００１２】  また、蘚苔類植物の下の透水性の層は瓦を細かく粉砕したものと珪藻土を焼成顆粒にしたセラミックを使用することを特徴とする。【００１３】  また、透水性の層の下の保水性の層は排水性も考慮した繊維質のものを使用することを特徴とする。【００１４】  また、蘚苔類植物、透水性の層の保水性の層は固化剤（合成樹脂エマルジョン）により固定化することを特徴とする。【００１５】  また、蘚苔類植物、透水性の層、保水性の層を収納する支持体は内容物の偏りを防止するための隔壁を備えていることを特徴とする。【００１６】  また、蘚苔類植物、透水性の層、保水性の層を収納する支持体は排水性を考慮し排水口を備えていることを特徴とする。【００１７】  また、蘚苔類植物、透水性の層、保水性の層を収納する支持体は豪雨時の浸水防止を考慮し底上げ構造を備えていることを特徴とする。【００１８】  また、蘚苔類植物、透水性の層、保水性の層を収納する支持体は運搬時の植物保護及び振動等によるずれ防止を考慮し支持体間の嵌合構造を備えていることを特徴とする。【００１９】  また、蘚苔類植物、透水性の層、保水性の層を収納する支持体は屋上への施工を考慮し固定金具による取り付または、接着剤による取り付の構造及び支持体間を連結できる構造を備えていることを特徴とする。
【発明の効果】
【００２０】  以上の説明から明らかなように、本発明にあっては次のような効果が得られる。請求項１の構造としている。蘚苔類植物は苛酷な環境で生息できるが、蘚苔類植物自体の生育を考慮した場合には適度な湿度があることが望まれる。このため直接蘚苔類植物に接する部分は保水性の弱いセラミック系の材料を使用し、その下に保水性のある繊維質の材料を使用した。このような構造にすることにより、透水性及び保水性のバランスの取れた蘚苔類植物の生育に好適な環境を作ることができる。また、屋上床面の熱が直接植物に伝わり、蘚苔類植物の生育に悪影響を及ぼすこともなくすことができる。
【図面の簡単な説明】
【００２１】
【図１】ユニットの断面図である。
【図２】保水材、透水材、種苗の構成図である。
【図３】この発明の一実施形態を示す支持体の外形図である。
【図４】ユニットの嵌合詳細図である。
【図５】ユニットの嵌合図である。
【図６】ユニットの施工図（アンカーによる）である。
【図７】ユニットの施工図（接着による）である。
【図８】屋上施工時のイメージ図である。
【発明を実施するための形態】
【００２２】  以下、本説明の実施の形態を図に基づいて説明する。図１及び図２はユニットの断面図である。なお、以降の図では説明の便宜上縮尺は必ずしも実物とは一致しない。
【００２３】  図示したように、支持体４の底部分から保水性の層３、透水性の層２、蘚苔類植物１の順で構成される。
【００２４】  支持体４は、隔壁５、排水口７、底上げ用の足６を備えている。
【００２５】  蘚苔類植物は苛酷な環境で生息できるが、蘚苔類植物自体の生育を考慮した場合には適度な湿度があることが望まれる。また、降雨等による水没や水溜りを嫌い特に夏場などに水が温水となってしまった場合は枯れてしまう。このような蘚苔類植物１の特性を考慮し下地部分の構造を透水性の層２と保水性の層３とするようにした。蘚苔類植物１に接する部分は透水性の層２とすることにより降雨時でも水はけを良くし、適度な保水も、持たせることができる。また、透水性の層２の下に保水性の層３を配置することにより降雨時の水分を保持し、透水性の層２を通して蘚苔類植物１に適度な湿度を与えることができる。
【００２６】  支持体４は、蘚苔類植物１、透水性の層２、保水性の層３を収納する。支持体４には隔壁５があり、輸送時等の収容物のずれを防止する。また、排水口７により降雨時の余分な水を排水する。底上げ用の足６は排水口７からの出た水を効率よく流すことと、設置面の凹み等に溜まった水の影響を支持体４内の収容物へ与えないことができる。
【００２７】  このような支持体４、保水性の層３、透水性の層２の構造をとることにより、蘚苔類植物１の生育に好適な環境を持たせることができる。
【００２８】  図３は支持体４の外形図である。支持体４には施工時の固定金具を取り付けられるように４隅の角部分はＲをとっている。また、運搬時の植物保護及び振動等によるずれ防止を考慮し支持体間の嵌合構造１０、施工時の支持体間を連結できる連結穴９がある。更に前述したように隔壁５、底上げ用の足６、排水口７の構造がある。
【００２９】  図４及は支持体４を嵌合した場合の断面図である。支持体４を重ねて嵌合した場合でも蘚苔類植物１と重ねた支持体４の底面との間は空間が空くため、蘚苔類植物１を傷めることはない構造とする。
【００３０】  図５は支持体４を嵌合した場合の図である。支持体４の嵌合構造１０により重ねた場合でも支持体４がずれることを防ぐ構造としている。運搬時は支持体４を重ねることにより運送効率を上げることができる。
【００３１】  図６は屋上へ固定金具１１を用いて施工した図である。屋上面１２へ固定金具１１を接着で固定し、支持体４の４隅のＲ部分８からできる穴に固定金具１１を通し固定をすることができる。
【００３２】  図７は屋上へ支持体４の底上げ用の足６へ直接接着剤１３を使用し固定を行なう場合の図である。
支持体４の底上げ用の足６は底面が平らになっており接着剤１３を塗布することにより、支持体４を屋上面１２へ固定することができる。
【００３３】  また、図６と図７に示した固定方法を併用することにより、より強固に支持体４を屋上面１２へ固定することができる。
【産業上の利用可能性】
【００３４】  本発明によれば、ビル等の陸屋根及び工場等のセッパン屋根等の屋上緑化を行うことができる。
【符号の説明】
【００３５】１  蘚苔類植物
２  透水性の層（瓦を細かく粉砕したものと珪藻土を焼成顆粒にしたもの等のセラミックを使用）
３  保水性の層（排水性も考慮した繊維質のもの）
４  支持体
５  隔壁
６  底上げ用の足
７  排水口
８  支持体４隅のＲ
９  支持体間を連結する連結穴
１０  支持体間の嵌合構造
１１  固定金具
１２  屋上面
１３  接着剤
【図１】
2014100128.tif 000003
【図２】
2014100128.tif 000004
【図３】
2014100128.tif 000005
【図４】
2014100128.tif 000006
【図５】
2014100128.tif 000007
【図６】
2014100128.tif 000008
【図７】
2014100128.tif 000009
【図８】
2014100128.tif 000010